(57)【要約】【課題】  バランスボールを使用しながら、効果的にストレッチング運動ができる運動具を提供する。【解決手段】  取付ベルトと、弾性チューブとからなるストレッチ運動具で、該取付ベルトを、被取付物に着脱可能に固定するために、取付ベルトの表面の端部側に備えたループ状の面ファスナーと、取付ベルトの裏面の逆端部側に備えたフック状の面ファスナーとからなる止着手段と、該弾性チューブを着脱可能に固定するための、端部に三角カンを備えた弾性チューブ固定ベルトを、該取付ベルトの表面側の概ね長手方向中央部から延設したので、取付ベルトに備えられたループ状の面ファスナーとフック状の面ファスナーとを合わせて環状にすることで、巻き付け固定可能な箇所に容易に着脱可能に固定してストレッチング運動を行うことを可能とした。【選択図】  図１
2006280863.tif 000002
【特許請求の範囲】
【請求項１】
被取付物へ着脱可能な止着手段を有する取付ベルトと、該取付ベルトに着脱可能に取付けられるとともに先端に把手を有する弾性チューブとからなるストレッチ運動具であって、該取付ベルトは、被取付物に着脱可能に固定するために、取付ベルトの表面の端部側に備えたループ状の面ファスナーと、取付ベルトの裏面の逆端部側に備えたフック状の面ファスナーとからなる止着手段を有するとともに、該弾性チューブを着脱可能に固定するための、端部に三角カンを備えた弾性チューブ固定ベルトを、該取付ベルトの表面側の概ね長手方向中央部から延設したことを特徴とする、ストレッチング運動具。
【請求項２】
前記被取付物は、バランスボールが移動しないように載置固定する空気を封入してなる中空のリングであり、該リングへ着脱可能な止着手段を有する取付ベルトと、該取付ベルトに着脱可能に取付けられるとともに先端に把手を有する弾性チューブとからなるストレッチ運動具であって、該取付ベルトは、リングに着脱可能に固定するために、取付ベルトの表面の端部側に備えたループ状の面ファスナーと、取付ベルトの裏面の逆端部側に備えたフック状の面ファスナーとからなる止着手段を有するとともに、該弾性チューブを着脱可能に固定するための、端部に三角カンを備えた弾性チューブ固定ベルトを、該取付ベルトの表面側の概ね長手方向中央部から延設したことを特徴とする請求項１に記載のストレッチング運動具。
【請求項３】
リングの上面に該リングと概ね同一径の円盤状の足踏板を載置したことを特徴とする請求項２に記載のストレッチング運動具。
【発明の詳細な説明】
【技術分野】
【０００１】本発明は、弾性チューブを使用したストレッチング運動具に関し、特にバランスボールを使用しながら効果的にストレッチング運動をすることができるストレッチング運動具に関する。
【背景技術】
【０００２】従来、弾性チューブを使用したストレッチング運動具としては、種々の運動具が提案されている。例えば、実用新案登録第３０３６９７９号公報に開示されたゴムチューブを使用したトレーニング器具は、伸縮自在な細長いゴムチューブの両端に、手で把持するためのハンドルが取り付けられるとともに、ゴムチューブの中間には足を引っ掛けるための着脱可能なストレッチャーが備えられている。（特許文献１）また、特開平１０−５７４３２号公報に開示された機能回復運動用具は、先端部に把手を設けたゴムチューブ等の弾性体の逆側端部に、足に引っ掛けるための運動用具本体を取り付けたものである。（特許文献２）【０００３】更にまた、バランスボールと称されるＰＶＣ等の弾性素材からなる空気を封入して膨張させた概ね直径５０ｃｍ乃至８０ｃｍのトレーニング用具がある。このバランスボールは、大きな弾力性があり上に乗ってバランスを保つだけでバランス感覚や筋力を向上させることが可能なものであり、運動障害の患者のリハビリや、フィットネスネス・スポーツトレーニングの現場では多目的なエクササイズに利用されており、実用新案登録第３１０５９２３号公報に開示されたボディボール（バランスボール）の滑り止めワッシャーは、中空円環状で内部に空気を入れて膨張させたもので、円環状の中央の空所にバランスボールを載置してバランスボールが転がらないように固定して使用できるようにしたものである。（特許文献３）【０００４】
【特許文献１】  実用新案登録第３０３６９７９号公報
【特許文献２】  特開Ｈ１０−２２１１２２号公報
【特許文献３】  実用新案登録第３１０５９２３号公報
【発明の開示】
【発明が解決しようとする課題】
【０００５】本発明は、前記した従来例の背景に鑑みてなされたものであり、バランスボールを使用しながら、効果的にストレッチング運動ができる運動具を提供することを目的としている。
【課題を解決するための手段】
【０００６】上記の課題は本発明の請求項１によれば、被取付物へ着脱可能な止着手段を有する取付ベルトと、該取付ベルトに着脱可能に取付けられるとともに先端に把手を有する弾性チューブとからなるストレッチ運動具であって、該取付ベルトは、被取付物に着脱可能に固定するために、取付ベルトの表面の端部側に備えたループ状の面ファスナーと、取付ベルトの裏面の逆端部側に備えたフック状の面ファスナーとからなる止着手段を有するとともに、該弾性チューブを着脱可能に固定するための、端部に三角カンを備えた弾性チューブ固定ベルトを、該取付ベルトの表面側の概ね長手方向中央部から延設したことで解決される。【０００７】請求項２によれば、前記被取付物は、バランスボールが移動しないように載置固定する空気を封入してなる中空のリングであり、該リングへ着脱可能な止着手段を有する取付ベルトと、該取付ベルトに着脱可能に取付けられるとともに先端に把手を有する弾性チューブとからなるストレッチ運動具であって、該取付ベルトは、リングに着脱可能に固定するために、取付ベルトの表面の端部側に備えたループ状の面ファスナーと、取付ベルトの裏面の逆端部側に備えたフック状の面ファスナーとからなる止着手段を有するとともに、該弾性チューブを着脱可能に固定するための、端部に三角カンを備えた弾性チューブ固定ベルトを、該取付ベルトの表面側の概ね長手方向中央部から延設したことで解決される。【０００８】請求項３によれば、リングの上面に該リングと概ね同一径の円盤状の足踏板を載置したことで解決される。
【発明の効果】
【０００９】本発明の請求項１によれば、取付ベルトと、弾性チューブとからなるストレッチ運動具で、該取付ベルトを、被取付物に着脱可能に固定するために、取付ベルトの表面の端部側に備えたループ状の面ファスナーと、取付ベルトの裏面の逆端部側に備えたフック状の面ファスナーとからなる止着手段と、該弾性チューブを着脱可能に固定するための、端部に三角カンを備えた弾性チューブ固定ベルトを、該取付ベルトの表面側の概ね長手方向中央部から延設したので、取付ベルトに備えられたループ状の面ファスナーとフック状の面ファスナーとを合わせて環状にすることで巻き付け固定可能な箇所に容易に着脱可能に固定することが可能となるとともに、弾性チューブ固定ベルト先端に三角カンを備えたので、弾性チューブに備えられたナスカンやカラビナなどのフックを三角カンに引っ掛け固定し、ストレッチング運動で弾性チューブを伸ばせば、フックは三角カンの三角形の頂点の内角に当接するので、極めて安定してストレッチング運動を行うことが可能となる。【００１０】請求項２によれば、前記被取付物は、バランスボールが移動しないように載置固定する空気を封入してなる中空のリングであり、取付ベルトと、弾性チューブとからなるストレッチ運動具で、該取付ベルトは、リングに着脱可能に固定するために、取付ベルトの表面の端部側に備えたループ状の面ファスナーと、取付ベルトの裏面の逆端部側に備えたフック状の面ファスナーとからなる止着手段を有するとともに、該弾性チューブを着脱可能に固定するための、端部に三角カンを備えた弾性チューブ固定ベルトを、該取付ベルトの表面側の概ね長手方向中央部から延設したので、取付ベルトに備えられたループ状の面ファスナーとフック状の面ファスナーとを合わせてリングに巻き付け固定することが可能となるとともに、弾性チューブ固定ベルト先端に備えた三角カンに、弾性チューブに備えられたナスカンやカラビナなどのフックを引っ掛け固定したのち、前記リングにバランスボールを載せれば、バランスボールでバランストレーニングを行いながらストレッチング運動を行うことが可能となる。かつ、弾性チューブのフックは三角カンの三角形の頂点の内角に当接するので、極めて安定してストレッチング運動を行うことが可能となる。【００１１】請求項３によれば、リングの上面に足踏板を載置したので、リングにバランスボールを載せない場合でも、足踏板に足を載せることで、安定した状態で安全にストレッチング運動を行うことが可能となるものである。
【発明を実施させるための最良の形態】
【００１２】次に本発明を図１から図４に示す実施の形態に基づいて詳細に説明する。
図１は、本発明のストレッチング運動具の全体を示す図である。第１の実施例によれば、図中（１）は、被取付物に巻き付け固定するための取付ベルトで、取付ベルト（１）の表面の端部側に備えたループ状の面ファスナー（１ａ）と、取付ベルト（１）の裏面の逆端部側に備えたフック状の面ファスナー（１ｂ）とからなる。（２）は取付ベルト（１）の表面側の概ね長手方向中央部から延設した弾性チューブ固定ベルトであり、先端に弾性チューブ（４）を着脱可能に固定するための三角カン（３）を備えている。一方、ストレッチング運動を行うための弾性チューブ（４）は、前記したように取付ベルトへの取付手段である三角カン（３）に引っ掛け固定するためのフック（６）と、逆側端部には手でグリップするための把手（５）が設けられている。フック（６）は、引っ掛けた際、安全のため不用意に外れることのないよう脱落防止の手段が施されている一般的なナスカンやカラビナを使用する。また、弾性チューブ（４）のフック（６）は、弾性チューブ（４）の把手（５）を把持して引っ張った状態、すなわちテンションが掛かった状態では、三角カン（３）の三角形の頂点の角に当接し、三角カン（３）の底辺は弾性チューブ固定ベルト（２）に取付けられているので、一般的なＤカンや四角カンを使用したときのように、ずれて不安定になることなく、極めて効果の高いトレーニングや運動を行うことが容易にかつ安全に可能になるものである。このように構成された第１実施例のストレッチング運動具は、取付ベルト（１）を巻き付け固定することが可能な被取付物に取付けることにより、被取付物があれば容易にかつ安全にストレッチング運動を行うことが可能となる。
【００１３】次に図２は、本発明の第２実施例を示すものであり、（７）は中空のリングで、ＰＶＣ樹脂等の弾性材料からなり空気を封入してなる。また、（８）はバランスボールであり、リング（７）と同様な材質からなり空気を封入してなるものである。本発明のストレッチング運動具を前記リング（７）に巻き付け固定したのちにバランスボール（８）を載せれば、バランスボール（８）でバランストレーニングを行いながらストレッチング運動を行うことが可能となり、筋力アップやバランス感覚の向上等、極めて効果の高いトレーニングや運動を行うことが容易にかつ安全に可能になるものである。また、前記同様弾性チューブ（４）のフック（６）は、弾性チューブ（４）の把手（５）を把持して引っ張った状態、すなわちテンションが掛かった状態では、三角カン（３）の三角形の頂点の内角に当接し、三角カン（３）の底辺は弾性チューブ固定ベルト（２）に取付けられているので、一般的なＤカンや四角カンを使用したときのように、テンションが掛かった状態でフック（６）がＤカンや四角カンの中で位置が決まらず、ずれて不安定になることなく、極めて安定して安全にストレッチング運動を行うことが可能となる。このように構成された第２実施例のストレッチング運動具は、取付ベルト（１）をリング（７）に巻き付け固定して、バランスボール（８）をリング（７）に載置することで、バランスボール（８）でバランストレーニングを行いながらストレッチング運動を行うことが可能となる。
【００１４】次に図３は、本発明の第３の実施例を示すものであり、リング（７）に本発明のストレッチング運動具を装着し、リング（７）の上面に着脱自在に載置可能なようにリング（７）と概ね同一直径の薄板円盤状の足踏板（９）を載置したものである。足踏板（９）は、踏んで使用するものであるので、適度な堅さを有するポリプロピレン板、積層合板等の素材からなる。リング（７）はＰＶＣ等の弾性材からなり空気が封入されており、通常は本発明のストレッチング運動具を装着した後、リング（７）中央の凹部にバランスボール（８）を載置してが転がらないようにして使用するが、リング（７）にバランスボール（８）を載置せずに直接足で乗ってストレッチ運動を行うことが容易に考えられるが、リング（７）の上に直接足で乗ることは、大きな弾性があるとはいえ極めて不安定であるとともに、局部的に圧力がかかるため破裂の危険性も危惧される。そこでリング（７）の上面にリング（７）と概ね同一直径の薄板円盤状の足踏板（９）を載置したことにより、リング（７）にバランスボール（８）を載置しない状態であっても、図４に示すように足踏板（９）に足を載せることで、極めて安定した状態、及び破裂の危険性のないストレッチング運動を行うことが容易にかつ安全に可能になるものである。
【００１５】尚、取付ベルト（１）に備えられた面ファスナーは、表面の端部側に備えたループ状の面ファスナー（１ａ）を、取付ベルト（１）の裏面の逆端部側に備えたフック状の面ファスナー（１ｂ）よりも、長く設定することで、被取付物に対するサイズの適応範囲が広くなる。また、取付ベルトの幅は概ね２０〜５０ｍｍ程度であることで、被取付物、特に空気を封入してなる中空のリング（７）に装着する場合、リング（７）に局部的な負担を与えず、かつ取付強度を得ることができる。更にまた、足踏板（９）はリング（７）と概ね同一直径の薄板円盤状としたが、中央部を開けたドーナツ状であっても良いし、リング（７）の直径と同一の正方形としても効果は同一である。尚、足踏板（９）は、収納時にコンパクトにすることが可能なように、直径方向に１／２に折り畳めるようにしても良く、当然ながら１／４に折り畳めるようにしても良い。
【図面の簡単な説明】
【００１６】
【図１】本発明の第１の実施例を示す図である。
【図２】本発明の第２の実施例を示す図である。
【図３】本発明の第３の実施例を示す図である。
【図４】本発明の第３の実施例を示す図である。
【符号の説明】
【００１７】      １        取付ベルト
１ａ      ループ状の面ファスナー
１ｂ      フック状の面ファスナー
２        弾性チューブ固定ベルト
３        三角カン
４        弾性チューブ
５        把手
６        フック
７        リング
８        バランスボール
９        足踏板
【図１】
2006280863.tif 000003
【図２】
2006280863.tif 000004
【図３】
2006280863.tif 000005
【図４】
2006280863.tif 000006